(57)【特許請求の範囲】
【請求項１】
相互に交信可能に接続されたホスト側のサーバーＳとユーザー側の端末Ｔとを含むシステムにおいて、
上記端末Ｔが、ベース車の純正部品に換えて使用予定にある部品に関する情報を上記サーバーＳに送信する工程と、
上記サーバーＳが、上記部品に関する情報により上記純正部品に換えて使用可能な部品を特定する工程と、
上記端末Ｔが、上記純正部品をこの特定された部品に組み換えて、上記ベース車から改造車を作製する工程と、
上記端末Ｔが、上記改造車の情報を上記サーバーＳに送信する工程と、
上記サーバーＳが、上記改造車の情報に基づいて、この改造の適否を判定する工程と、
上記端末Ｔが、上記改造車の評価のために使用予定にあるフィールドに関する情報を送信する工程と、
上記サーバーＳが、上記フィールドに関する情報により上記改造車の評価のために使用可能なフィールドを特定する工程と、
上記端末Ｔが、この特定されたフィールドにおいて、上記改造車の評価を行い、この評価の結果を上記サーバーＳに送信する工程と、
上記サーバーＳが、上記評価の結果を判定し、この判定の結果と、この判定結果に応じて付与され、上記部品の購入又は上記改造車の購入に用いられうるポイントの付与通知とを上記端末Ｔに送信する工程と、
上記端末Ｔが、上記改造車の貸借情報を上記サーバーＳに送信する工程と、
上記サーバーＳが、上記貸借情報に基づいて、上記改造車の貸し出しの適否を判定し、この判定の結果を上記端末Ｔに送信する工程と、
上記端末Ｔが、上記判定結果に基づいて配車情報を上記サーバーＳに送信する工程と、
上記サーバーＳが、上記配車情報に基づいて上記改造車の配車を手配する工程と
を含む、車又は部品購入のための支援方法。
【請求項２】
相互に交信可能に接続されたホスト側のサーバーＳとユーザー側の端末Ｔとを含むシステムにおいて、
上記端末Ｔが、ベース車の純正部品に換えて使用予定にある部品に関する情報を上記サーバーＳに送信する工程と、
上記サーバーＳが、上記部品に関する情報により上記純正部品に換えて使用可能な部品を特定する工程と、
上記サーバーＳが、上記純正部品をこの特定された部品に交換して、上記ベース車から改造車を作製し、この改造の適否を判定する工程と、
上記端末Ｔが、上記改造車の評価のために使用予定にあるフィールドに関する情報を送信する工程と、
上記サーバーＳが、上記フィールドに関する情報により上記改造車の評価のために使用可能なフィールドを特定する工程と、
上記サーバーＳが、この特定されたフィールドにおいて上記改造車の評価を行い、この評価の結果を判定し、この判定の結果と、この判定結果に応じて付与され、上記部品の購入又は上記改造車の購入に用いられうるポイントの付与通知とを上記端末Ｔに送信する工程と
上記端末Ｔが、上記改造車の貸借情報を上記サーバーＳに送信する工程と、
上記サーバーＳが、上記貸借情報に基づいて、上記改造車の貸し出しの適否を判定し、この判定の結果を上記端末Ｔに送信する工程と、
上記端末Ｔが、上記判定結果に基づいて配車情報を上記サーバーＳに送信する工程と、
上記サーバーＳが、上記配車情報に基づいて上記改造車の配車を手配する工程と
を含む、車又は部品購入のための支援方法。
【発明の詳細な説明】
【技術分野】
【０００１】
本発明は、車又は部品購入のための支援方法に関する。
【背景技術】
【０００２】
車に興味がある者達にとって、車の走行性能や外観は重要である。これらの者の中には、部品交換により走行性能の向上を検討する者がいる。部品交換により、外観の変更を検討する者がいる。
【０００３】
Ｉｎｆｏｒｍａｔｉｏｎ ｔｅｃｈｎｏｌｏｇｙ（以下、ＩＴ）の発達により、現実社会における事象が仮想社会に再現できることがある。業務の効率化の観点から、ＩＴの利用が検討されている。この検討例が、特開２００２−２３００４３公報及び特開２００２−２３０５８７公報に開示されている。
【先行技術文献】
【特許文献】
【０００４】
【特許文献１】特開２００２−２３００４３公報
【特許文献２】特開２００２−２３０５８７公報
【発明の概要】
【発明が解決しようとする課題】
【０００５】
部品交換による効果が、期待通りに得られないことがある。この場合、部品交換に要した費用が無駄になる。このため、車に興味があっても、車を単なる移動手段と考える者が少なくない。潜在している多数の需要者に対して、車又は部品購入のための動機付けを十分に付与できていないという現状がある。
【０００６】
本発明の目的は、潜在する多数の需要者に対して購入のための動機付けを与えうる車又は部品購入のための支援方法の提供にある。
【課題を解決するための手段】
【０００７】
本発明に係る車又は部品購入のための支援方法は、相互に交信可能に接続されたホスト側のサーバーＳとユーザー側の端末Ｔとを含むシステムに基づいて実施される。この支援方法は、（１）上記端末Ｔが、ベース車の純正部品に換えて使用予定にある部品に関する情報を上記サーバーＳに送信する工程、
（２）上記サーバーＳが、上記部品に関する情報により上記純正部品に換えて使用可能な部品を特定する工程、
（３）上記端末Ｔが、上記純正部品をこの特定された部品に組み換えて、上記ベース車から改造車を作製する工程、
（４）上記端末Ｔが、上記改造車の評価のために使用予定にあるフィールドに関する情報を送信する工程、
（５）上記サーバーＳが、上記フィールドに関する情報により上記改造車の評価のために使用可能なフィールドを特定する工程
及び
（６）上記端末Ｔが、この特定されたフィールドにおいて、上記改造車の評価を行う工程を含む。
【０００８】
本発明に係る他の車又は部品購入のための支援方法は、相互に交信可能に接続されたホスト側のサーバーＳとユーザー側の端末Ｔとを含むシステムに基づいて実施される。この支援方法は、
（１）上記端末Ｔが、ベース車の純正部品に換えて使用予定にある部品に関する情報を上記サーバーＳに送信する工程、
（２）上記サーバーＳが、上記部品に関する情報により上記純正部品に換えて使用可能な部品を特定する工程、
（３）上記サーバーＳが、上記純正部品をこの特定された部品に交換して、上記ベース車から改造車を作製する工程、
（４）上記端末Ｔが、上記改造車の評価のために使用予定にあるフィールドに関する情報を送信する工程、
（５）上記サーバーＳが、上記フィールドに関する情報により上記改造車の評価のために使用可能なフィールドを特定する工程、
及び
（６）上記サーバーＳが、この特定されたフィールドにおいて、上記改造車の評価を行う工程
を含む。
【発明の効果】
【０００９】
本発明に係る車又は部品購入のための支援方法は、潜在する多数の需要者に対して購入のための動機付けを十分に与えうる。この支援方法は、需要者層の開拓に寄与しうる。
【図面の簡単な説明】
【００１０】
【図１】図１は、本発明の一実施形態に係る車又は部品購入のための支援システムが示された概略構成図である。
【図２】図２は、図１の車又は部品購入のための支援システムのフローチャートである。
【図３】図３は、図２に示された登録（ＳＴＥＰ１）のための作業手順が示されたフローチャートである。
【図４】図４は、図２に示された改造（ＳＴＥＰ２）のための作業手順が示されたフローチャートである。
【図５】図５は、図２に示された評価（ＳＴＥＰ３）のための作業手順が示されたフローチャートである。
【図６】図６は、図２に示された貸借（ＳＴＥＰ４）のための作業手順が示されたフローチャートである。
【図７】図７は、図２に示された購入（ＳＴＥＰ５）のための作業手順が示されたフローチャートである。
【図８】図８は、本発明の他の実施形態に係る車又は部品購入のためのシステムに含まれる、改造（ＳＴＥＰ２）のための作業手順が示されたフローチャートである。
【図９】図９は、図８の車又は部品購入のためのシステムにさらに含まれる、評価（ＳＴＥＰ３）のための作業手順が示されたフローチャートである。
【図１０】図１０は、本発明の他の実施形態に係る車又は部品購入のための支援方法において実行される作業のフロー図である。
【発明を実施するための形態】
【００１１】
以下、適宜図面が参照されつつ、好ましい実施形態に基づいて本発明が詳細に説明される。
【００１２】
本発明の車又は部品購入のための支援方法は、図１に示されたシステム２に基づいて実施される。このシステム２は、ネットワーク内に構築された仮想社会において、現実社会と同じように、改造による車の特性変化をホストがユーザーに体感させるものである。
【００１３】
このシステム２は、ホスト側のサーバーＳと、ユーザー側の端末Ｔとを含んでいる。ホストとしては、車のメーカー及びそのディーラー並びにこの車に用いられている部品のメーカー及びそのディーラーが例示される。ユーザーは、ホストから情報の提供を受け、これを利用する需要者である。
【００１４】
このシステム２では、サーバーＳと端末Ｔとはネットワークとしてのインターネット４を介して相互に交信可能に接続されている。このシステム２では、インターネット４を介して２以上の端末ＴがこのサーバーＳに接続されてもよい。このシステム２は、サーバーＳと複数の端末Ｔとを含みうる。
【００１５】
サーバーＳは、送受信部ＳＩ、記録部ＳＨ、表示部ＳＤ、演算部ＳＣ及び入力部ＳＫを備えている。図示されていないが、送受信部ＳＩは、インターネット４を介して交信を行いうる送受信手段を有している。この送受信部ＳＩとしては、インターフェイスが例示される。図示されていないが、記録部ＳＨは、ベース車と、このベース車に組み込まれた純正部品に換えて使用可能な部品と、このベース車から作製された改造車の評価のために使用可能なフィールドとに関するデータを多数格納しうる記録媒体を有している。この記録部ＳＨとしては、ハードディスクが例示される。図示されていないが、表示部ＳＤは、画像を表示しうる表示手段を有している。この表示部ＳＤとしては、ディスプレーが例示される。図示されていないが、演算部ＳＣは、ユーザー側の端末Ｔから送信された情報に基づいてデータを特定する特定手段及びこのユーザー情報の適用可否を判定しうる判定手段を有している。この演算部ＳＣとしては、中央演算処理装置（ＣＰＵ）が例示される。図示されていないが、入力部ＳＫは、情報を入力する入力手段を有している。この入力部ＳＫとしては、キーボードが例示される。なお、このサーバーＳがデータを出力するために用いられるプリンターを出力部として備えてもよい。
【００１６】
端末Ｔは、送受信部ＴＩ、表示部ＴＤ、演算部ＴＣ、記録部ＴＨ及び入力部ＴＫを備えている。図示されていないが、送受信部ＴＩは、インターネット４を介して交信を行いうる送受信手段を有している。この送受信部ＴＩとしては、インターフェイスが例示される。このシステム２では、この送受信部ＴＩがサーバーＳの送受信部ＳＩと接続されている。図示されていないが、表示部ＴＤは、画像を表示しうる表示手段を有している。この表示部ＴＤとしては、ディスプレーが例示される。図示されていないが、演算部ＴＣは、データを加工する加工手段及びこの加工されたデータの評価を行いうる評価手段を有している。この演算部ＴＣとしては、中央演算処理装置（ＣＰＵ）が例示される。図示されていないが、記録部ＴＨは、データを多数記録しうる記録手段を有している。この記録部ＴＨとしては、ハードディスクが例示される。図示されていないが、入力部ＴＫは、情報を入力する入力手段を有している。この入力部ＴＫとしては、キーボードが例示される。この端末Ｔが、データを出力するために用いられるプリンターを出力部として備えてもよい。
【００１７】
図２には、本発明の支援方法において実行される作業のフロー図が示されている。この支援方法では、ユーザー情報がサーバーＳに登録される（ＳＴＥＰ１）。これにより、ベース車のデータがユーザーに提供される。サーバーＳに格納されている部品のデータを用いて、ベース車が改造される（ＳＴＥＰ２）。改造車の評価が実行される（ＳＴＥＰ３）。ホストからユーザーにベース車又は改造車（以下、車）が貸し出される（ＳＴＥＰ４）。車が発注される（ＳＴＥＰ５）。この支援方法は、ユーザー情報を登録する工程（ＳＴＥＰ１）、ベース車を改造する工程（ＳＴＥＰ２）、改造車を評価する工程（ＳＴＥＰ３）、車を貸借する工程（ＳＴＥＰ４）及び車を発注する工程（ＳＴＥＰ５）を含んでいる。
【００１８】
図３に示されているのは、ユーザー情報の登録（ＳＴＥＰ１）のための作業手順である。この登録工程（ＳＴＥＰ１）では、端末Ｔの入力部ＴＫにより、ユーザー情報が入力される。このユーザー情報には、ユーザー自らが仮想体験を希望するベース車の情報が含まれる。送受信部ＴＩが、サーバーＳに向かってユーザー情報を送信する（Ｓ１ａ）。サーバーＳが、その送受信部ＳＩにおいてこのユーザー情報を受信する（Ｓ１ｂ）。記録部ＳＨが、受信したユーザー情報を格納する。これにより、記録部ＳＨにユーザー情報が登録される（Ｓ１ｃ）。送受信部ＳＩが、登録完了通知とともに、記録部ＳＨに格納されているベース車に関するデータを端末Ｔに向かって送信する（Ｓ１ｄ）。端末Ｔが、送受信部ＴＩにおいて登録完了通知及びベース車のデータを受信する（Ｓ１ｅ）。この受信したベース車のデータは、端末Ｔの記録部ＴＨに格納される。この登録工程（ＳＴＥＰ１）においては、自らの情報をホストに提供することにより、ユーザーはベース車のデータを入手することができる。
【００１９】
図４に示されているのは、ベース車の改造（ＳＴＥＰ２）のための作業手順である。この改造工程（ＳＴＥＰ２）では、端末Ｔの入力部ＴＫにより、ユーザーが純正部品に換えて使用を予定する部品に関する情報（以下、部品特定情報）が入力される。この部品としては、例えば、タイヤが挙げられる。送受信部ＴＩが、サーバーＳに向かってこの部品特定情報を送信する（Ｓ２ａ）。サーバーＳが、その送受信部ＳＩにおいてこの部品特定情報を受信する（Ｓ２ｂ）。これにより、サーバーＳが部品特定情報を得る。このサーバーＳの演算部ＳＣが、記録部ＳＨに格納されているデータから、この情報に合致する部品を特定する（Ｓ２ｃ）。換言すれば、この演算部ＳＣは、端末Ｔから送信された情報により、純正部品に換えて使用可能な部品を特定する。送受信部ＳＩが、この特定した部品情報を端末Ｔに向かって送信する（Ｓ２ｄ）。端末Ｔが、送受信部ＴＩにおいてこの部品情報を受信する（Ｓ２ｅ）。ユーザーは、端末Ｔの表示部ＴＤに表示された部品情報を見て、部品情報の受け入れについて検討する。ユーザーが部品情報を受け入れると、この部品に関するデータが端末Ｔの記録部ＴＨに格納される。ユーザーが別の部品を検討したいと判断した場合は、再度、端末Ｔの入力部ＴＫにより、交換を希望する部品を特定するための情報が入力される。この情報が、送受信部ＴＩにより、サーバーＳに向かって送信される（Ｓ２ａ）。
【００２０】
この改造工程（ＳＴＥＰ２）では、ユーザーは、部品情報を受け入れると、この部品情報に基づいて、この端末Ｔの表示部ＴＤに表示された画像を見ながら、部品を交換する。この交換においては、端末Ｔの演算部ＴＣが、加工手段を用いて、ベース車の純正部品を、特定された部品に組み換える。この加工手段としては、三次元ＣＡＤシステムが例示される。この組み換えにより、ベース車から改造車が作製される。この支援方法では、演算部ＴＣによりベース車が改造される（Ｓ２ｆ）。送受信部ＴＩが、サーバーＳに向かって改造車情報を送信する（Ｓ２ｇ）。サーバーＳの送受信部ＳＩが改造車情報を受信する（Ｓ２ｈ）。演算部ＳＣが、改造の適否を判定する（Ｓ２ｉ）。この判定（Ｓ２ｉ）においては、生産の可否、法規制の適用の有無等が検討され、改造の適否が判断される。この判定結果が、送受信部ＳＩにより、端末Ｔに向かって送信される（Ｓ２ｊ）。端末Ｔの送受信部ＴＩが、この判定結果を受信する（Ｓ２ｋ）。改造不可の判定結果が出た場合、ユーザーは再度、端末Ｔの入力部ＴＫを用いて、交換を希望する部品を特定するための情報を入力する。送受信部ＴＩにより、サーバーＳに向かって部品特定情報が送信される（Ｓ２ａ）。改造可の判定結果が出た場合、この改造車の情報が記録部ＴＨに格納される。
【００２１】
この改造工程（ＳＴＥＰ２）は、仮想社会に設置されたショップにおいて部品を入手し車を改造するという疑似体験をユーザーに提供しうる。この支援方法によれば、ユーザーは現実社会において実行される車の改造を仮想社会において体感することができる。
【００２２】
図５に示されているのは、改造車の評価（ＳＴＥＰ３）のための作業手順である。この評価工程（ＳＴＥＰ３）では、ユーザーは評価のためのフィールドを選択する。このフィールドとしては、速さに関するもの、燃費に関するもの及び安全に関するものが例示される。ユーザーは、評価のために使用予定にあるフィールドに関する情報（以下、フィールド特定情報）を入力部ＴＫを用いて入力する。送受信部ＴＩが、サーバーＳに向かってフィールド特定情報を送信する（Ｓ３ａ）。サーバーＳが、その送受信部ＳＩにおいてこのフィールド特定情報を受信する（Ｓ３ｂ）。これにより、サーバーＳがフィールド特定情報を得る。演算部ＳＣが、記録部ＳＨに格納されているデータから、この情報に合致するフィールドを特定する（Ｓ３ｃ）。この支援方法では、演算部ＳＣが端末Ｔから送信された情報により評価のために使用可能なフィールドを特定する。送受信部ＳＩが、この特定したフィールドの情報を端末Ｔに向かって送信する（Ｓ３ｄ）。端末Ｔが、送受信部ＴＩにおいてこのフィールド情報を受信する（Ｓ３ｅ）。ユーザーは、端末Ｔの表示部ＴＤに表示されたフィールド情報を見て、フィールド情報の受け入れについて検討する。ユーザーが別のフィールドを検討したいと判断した場合は、再度、端末Ｔの入力部ＴＫにより、評価を希望するフィールドを特定するための情報が入力される。この情報が、送受信部ＴＩにより、サーバーＳに向かって送信される（Ｓ３ａ）。
【００２３】
この評価工程（ＳＴＥＰ３）では、ユーザーは、フィールド情報を受け入れると、端末Ｔにおいて改造車の評価を開始する。この支援方法では、端末Ｔの演算部ＴＣがこの特定されたフィールドにおいて改造車の評価を行いうる（Ｓ３ｆ）。この評価においては、演算部ＴＣが評価手段を用いて車の走行を再現する。この評価手段としては、車の走行を再現するためのプログラムが例示される。この再現に際しては、記録部ＴＨに格納されている部品のデータが用いられる。交換された部品がタイヤである場合には、このデータとしては、このタイヤの縦バネ、横バネ、コーナリングパワー、コーナリングフォース、転がり抵抗及び質量が挙げられる。この評価工程（ＳＴＥＰ３）では、これらデータに基づいて、この車の走行が再現される。
【００２４】
この評価工程（ＳＴＥＰ３）は、仮想社会に設けられたサーキットコースにおいて、改造車を走行させるという疑似体験をユーザーに提供しうる。これにより、ユーザーは、仮想社会において、改造に用いた部品の効果を確認することができる。この支援方法によれば、ユーザーは現実社会において実行される車の評価を仮想社会において体感することができる。
【００２５】
この支援方法では、評価の繰り返しが可能である。ユーザーが納得のいく結果を得るまで、この演算部ＴＣは評価を実行する。
【００２６】
ユーザーが評価結果に納得すれば、送受信部ＴＩがこの評価結果をサーバーＳに向かって送信する（Ｓ３ｇ）。サーバーＳが、その送受信部ＳＩにおいてこの評価結果を受信する（Ｓ３ｈ）。サーバーＳの演算部ＳＣが、記録部ＳＨに格納されている評価基準に関するデータに基づいて、この評価結果を判定する（Ｓ３ｉ）。この判定結果が、送受信部ＳＩにより端末Ｔに向かって送信される（Ｓ３ｊ）。端末Ｔの送受信部ＴＩが、この判定結果を受信する（Ｓ３ｋ）。この支援方法が、この判定結果に応じてユーザーにポイントを付与するよう構成されていてもよい。この場合、判定結果とともに、このポイント付与通知が端末Ｔに向かって送信される。このポイントは、部品の購入や車の購入に用いられうるものである。
【００２７】
図６に示されているのは、車の貸借（ＳＴＥＰ４）のための作業手順である。この貸借工程（ＳＴＥＰ４）では、ユーザーは実際に車を使用するために、入力部ＴＫを用いて貸借情報を入力する。送受信部ＴＩが、サーバーＳに向かってこの貸借情報を送信する（Ｓ４ａ）。サーバーＳが、その送受信部ＳＩにおいてこの貸借情報を受信する（Ｓ４ｂ）。演算部ＳＣが、貸借情報に基づいて貸し出しの適否を判定する（Ｓ４ｃ）。送受信部ＳＩが、この判定結果を端末Ｔに向かって送信する（Ｓ４ｄ）。端末Ｔが、送受信部ＴＩにおいてこの判定結果を受信する（Ｓ４ｅ）。ユーザーは、この端末Ｔの表示部ＴＤに表示された判定結果を見て、この判定結果の受け入れについて検討する。ユーザーがホストに対して再考を要請したい場合は、再度、端末Ｔの入力部ＴＫにより、貸借情報が入力される。この情報が、送受信部ＴＩにより、サーバーＳに向かって送信される（Ｓ４ａ）。
【００２８】
ユーザーが判定結果を受け入れると、送受信部ＴＩが配車情報をサーバーＳに向かって送信する（Ｓ４ｆ）。サーバーＳが、その送受信部ＳＩにおいてこの配車情報を受信する（Ｓ４ｇ）。サーバーＳの演算部ＳＣが、車の配車を手配する（Ｓ４ｈ）。手配が完了すれば、送受信部ＳＩが完了情報を端末Ｔに向かって送信する（Ｓ４ｉ）。端末Ｔの送受信部ＴＩが完了情報を受信する（Ｓ４ｊ）。このようにして、ユーザーは車を入手する。この支援方法によれば、ユーザーは、仮想社会において体感した車を実際に入手し、現実社会においてこの車の性能を体感することができる。
【００２９】
図７に示されているのは、車の発注（ＳＴＥＰ５）のための作業手順である。この発注工程（ＳＴＥＰ５）では、ユーザーは車を購入するための情報を入力部ＴＫを用いて入力する。送受信部ＴＩが、サーバーＳに向かって購入情報を送信する（Ｓ５ａ）。サーバーＳが、その送受信部ＳＩにおいてこの購入情報を受信する（Ｓ５ｂ）。演算部ＳＣが、購入情報に基づいて車の価格を算定する（Ｓ５ｃ）。この算定に際しては、ユーザーの有するポイントも考慮される。送受信部ＳＩが、この算定された価格情報を端末Ｔに向かって送信する（Ｓ５ｄ）。端末Ｔが、送受信部ＴＩにおいてこの価格情報を受信する（Ｓ５ｅ）。ユーザーは、この端末Ｔの表示部ＴＤに表示された価格情報を見て、この価格情報の受け入れについて検討する。ユーザーがホストに対して再考を要請したい場合は、再度、端末Ｔの入力部ＴＫにより、購入情報が入力される。この情報が、送受信部ＴＩにより、サーバーＳに向かって送信される（Ｓ５ａ）。
【００３０】
ユーザーが価格情報を受け入れた場合、送受信部ＴＩが決済をするための情報をサーバーＳに向かって送信する（Ｓ５ｆ）。サーバーＳが、その送受信部ＳＩにおいてこの決済情報を受信する（Ｓ５ｇ）。サーバーＳの演算部ＳＣが、車の発注を手配する（Ｓ５ｈ）。手配が完了すれば、送受信部ＳＩが発注情報を端末Ｔに向かって送信する（Ｓ５ｉ）。端末Ｔの送受信部ＴＩが発注情報を受信する（Ｓ５ｊ）。この支援方法によれば、ユーザーは、仮想社会において体感した車を実際に購入することができる。
【００３１】
この発注工程（ＳＴＥＰ５）では、改造車の作製に用いた部品が発注されてもよい。この場合、ユーザーは部品を購入するための情報を入力部ＴＫを用いて入力する。送受信部ＴＩが、サーバーＳに向かって購入情報を送信する（Ｓ５ａ）。サーバーＳが、その送受信部ＳＩにおいてこの購入情報を受信する（Ｓ５ｂ）。演算部ＳＣが、購入情報に基づいて部品の価格を算定する（Ｓ５ｃ）。この算定に際しては、ユーザーの有するポイントも考慮される。送受信部ＳＩが、この算定された価格情報を端末Ｔに向かって送信する（Ｓ５ｄ）。端末Ｔが、送受信部ＴＩにおいてこの価格情報を受信する（Ｓ５ｅ）。ユーザーは、この端末Ｔの表示部ＴＤに表示された価格情報を見て、この価格情報の受け入れについて検討する。
【００３２】
ユーザーが価格情報を受け入れた場合、送受信部ＴＩが決済をするための情報をサーバーＳに向かって送信する（Ｓ５ｆ）。サーバーＳが、その送受信部ＳＩにおいてこの決済情報を受信する（Ｓ５ｇ）。サーバーＳの演算部ＳＣが、部品の発注を手配する（Ｓ５ｈ）。手配が完了すれば、送受信部ＳＩが発注情報を端末Ｔに向かって送信する（Ｓ５ｉ）。端末Ｔの送受信部ＴＩが発注情報を受信する（Ｓ５ｊ）。この支援方法によれば、ユーザーは、仮想社会において体感した車に用いられた部品を実際に購入することができる。
【００３３】
前述したように、この支援方法では、改造工程（ＳＴＥＰ２）により、仮想社会に設置されたショップにおいて部品を入手し車を改造するという疑似体験が、ユーザーに提供される。評価工程（ＳＴＥＰ３）により、仮想社会に設けられたサーキットコースにおいて、改造車を走行させるという疑似体験が、ユーザーに提供される。この支援方法によれば、ユーザーは、数ある部品を仮想社会において試行した上で、部品又は車を実際に購入をすることができる。
【００３４】
この支援方法は、インターネット４を介してサーバーＳと端末Ｔとが接続されたシステム２に基づいて実施される。この支援方法には、多数の者の参加が可能である。この支援方法によれば、潜在する需要者の取り込みが容易である。しかも、この支援方法によれば、仮想社会において、部品を変更したことによる効果を現実社会と同様に体感することができる。疑似体験はユーザーの購買意欲を高めうる。この支援方法は、潜在する多数の需要者に対して購入のための動機付けを十分に与えうる。この支援方法は、需要者層の開拓に寄与しうる。
【００３５】
図８及び９のそれぞれには、本発明の他の実施形態に係る車又は部品購入のための支援方法に含まれる、一部の工程の作業手順が示されたフローチャートが示されている。この支援方法は、相互に交信可能に接続されたホスト側のサーバーＳとユーザー側の端末Ｔとを含むシステムに基づいて実施される。このサーバーＳと端末Ｔとは、インターネットを介して接続されている。
【００３６】
サーバーＳは、図１に示されたサーバーＳと同等の構成を有している。このサーバーＳは、送受信部ＳＩ、記録部ＳＨ、表示部ＳＤ、演算部ＳＣ及び入力部ＳＫを備えている。この支援方法では、この演算部ＳＣは、ユーザー側の端末Ｔから送信された情報に基づいてデータを特定する特定手段、特定されたデータを加工する加工手段、加工されたデータを評価する評価手段及びこの評価結果を判定する判定手段を有している。
【００３７】
端末Ｔは、図１に示された端末と同等の構成を有している。この端末Ｔは、送受信部ＴＩ、表示部ＴＤ、演算部ＴＣ、記録部ＴＨ及び入力部ＴＫを備えている。
【００３８】
図示されていないが、この支援方法は、前述の支援方法と同様、ユーザー情報を登録する工程（ＳＴＥＰ１）、ベース車を改造する工程（ＳＴＥＰ２）、改造車を評価する工程（ＳＴＥＰ３）、車を貸借する工程（ＳＴＥＰ４）及び車を発注する工程（ＳＴＥＰ５）を含んでいる。ベース車を改造する工程（ＳＴＥＰ２）及び改造車を評価する工程（ＳＴＥＰ３）以外は、前述の支援方法とほぼ同様の作業手順で実施される。
【００３９】
図８に示されているのは、ユーザー情報の登録（ＳＴＥＰ１）により提供されたベース車を改造する工程（ＳＴＥＰ２）のための作業手順である。この改造工程（ＳＴＥＰ２）では、端末Ｔの入力部ＴＫにより、部品特定情報が入力される。送受信部ＴＩが、サーバーＳに向かってこの部品特定情報を送信する（Ｓ２ａ）。サーバーＳが、その送受信部ＳＩにおいてこの部品特定情報を受信する（Ｓ２ｂ）。このサーバーＳの演算部ＳＣが、記録部ＳＨに格納されているデータから、この情報に合致する部品を特定する（Ｓ２ｃ）。換言すれば、この演算部ＳＣは、端末Ｔから送信された情報により、純正部品に換えて使用可能な部品を特定する。送受信部ＳＩが、この特定した部品情報を端末Ｔに向かって送信する（Ｓ２ｄ）。端末Ｔが、送受信部ＴＩにおいてこの部品情報を受信する（Ｓ２ｅ）。ユーザーは、端末Ｔの表示部ＴＤに表示された部品情報を見て、部品情報の受け入れについて検討する。ユーザーが部品情報を受け入れると、この部品に関するデータがサーバーＳの記録部ＳＨに格納される。ユーザーが別の部品を検討したいと判断した場合は、再度、端末Ｔの入力部ＴＫにより、交換を希望する部品を特定するための情報が入力される。この情報が、送受信部ＴＩにより、サーバーＳに向かって送信される（Ｓ２ａ）。
【００４０】
この改造工程（ＳＴＥＰ２）では、ユーザーが部品情報を受け入れると、送受信部ＴＩが改造開始情報をサーバーＳに向かって送信する（Ｓ２ｆ）。サーバーＳが、その送受信部ＳＩにおいてこの改造開始情報を受信する（Ｓ２ｇ）。これにより、サーバーＳの演算部ＳＣが、加工手段を用いて、ベース車の純正部品を、前述の特定された部品に組み換える。この加工手段としては、三次元ＣＡＤシステムが例示される。この組み換えにより、ベース車から改造車が作製される。この支援方法では、演算部ＳＣによりベース車が改造される（Ｓ２ｈ）。さらにこの演算部ＳＣが、この改造の適否を判定する（Ｓ２ｉ）。この判定（Ｓ２ｉ）においては、生産の可否、法規制の適用の有無等が検討され、改造の適否が判断される。この判定結果が、送受信部ＳＩにより、端末Ｔに向かって送信される（Ｓ２ｊ）。端末Ｔの送受信部ＴＩが、この判定結果を受信する（Ｓ２ｋ）。改造不可の判定結果が出た場合、ユーザーは再度、端末Ｔの入力部ＴＫにより交換を希望する部品を特定するための情報を入力する。送受信部ＴＩが、サーバーＳに向かってこの部品特定情報を送信する（Ｓ２ａ）。改造可の判定結果が出た場合、この改造車の情報が記録部ＴＨに格納される。
【００４１】
この改造工程（ＳＴＥＰ２）は、仮想社会に設置されたショップにおいて部品を入手し車を改造するという疑似体験をユーザーに提供しうる。この支援方法によれば、ユーザーは現実社会において実行される車の改造を仮想社会において体感することができる。
【００４２】
図９に示されているのは、この支援方法における改造車の評価（ＳＴＥＰ３）のための作業手順である。この評価工程（ＳＴＥＰ３）では、ユーザーはフィールド特定情報を入力部ＴＫを用いて入力する。送受信部ＴＩが、サーバーＳに向かってフィールド特定情報を送信する（Ｓ３ａ）。サーバーＳが、その送受信部ＳＩにおいてこのフィールド特定情報を受信する（Ｓ３ｂ）。これにより、サーバーＳがフィールド特定情報を得る。演算部ＳＣが、記録部ＳＨに格納されているデータから、この情報に合致するフィールドを特定する（Ｓ３ｃ）。この支援方法では、演算部ＳＣが端末Ｔから送信された情報により評価のために使用可能なフィールドの特定を行いうる。送受信部ＳＩが、この特定したフィールドの情報を端末Ｔに向かって送信する（Ｓ３ｄ）。端末Ｔが、送受信部ＴＩにおいてこのフィールド情報を受信する（Ｓ３ｅ）。ユーザーは、端末Ｔの表示部ＴＤに表示されたフィールド情報を見て、フィールド情報の受け入れについて検討する。ユーザーが別のフィールドを検討したいと判断した場合は、再度、端末Ｔの入力部ＴＫにより、評価を希望するフィールドを特定するための情報が入力される。この情報が、送受信部ＴＩにより、サーバーＳに向かって送信される（Ｓ３ａ）。
【００４３】
この評価工程（ＳＴＥＰ３）では、ユーザーは、フィールド情報を受け入れると、評価を開始するための情報を入力部ＴＫを用いて入力する。送受信部ＴＩが、サーバーＳに向かって評価開始情報を送信する（Ｓ３ｆ）。サーバーＳが、送受信部ＳＩにおいてこの評価開始情報を受信する（Ｓ３ｇ）。演算部ＳＣが、この特定されたフィールドにおいて改造車を評価する（Ｓ３ｈ）。この支援方法では、サーバーＳにおいて改造車の評価が実施される。この評価においては、演算部ＳＣが評価手段を用いて車の走行を再現する。この評価手段としては、車の走行を再現するためのプログラムが例示される。この再現に際しては、記録部ＳＨに格納されている部品のデータが用いられる。交換された部品がタイヤである場合には、このデータとしては、このタイヤの縦バネ、横バネ、コーナリングパワー、コーナリングフォース、転がり抵抗及び質量が挙げられる。この評価工程（ＳＴＥＰ３）では、これらデータに基づいて、この車の走行が再現される。
【００４４】
この評価工程（ＳＴＥＰ３）は、仮想社会に設けられたサーキットコースにおいて、改造車を走行させるという疑似体験をユーザーに提供しうる。これにより、ユーザーは、仮想社会において、改造に用いた部品の効果を確認することができる。この支援方法によれば、ユーザーは現実社会において実行される車の評価を仮想社会において体感することができる。
【００４５】
この評価工程（ＳＴＥＰ３）では、送受信部ＳＩがこの評価結果を端末Ｔに向かって送信する（Ｓ３ｉ）。端末Ｔが、その送受信部ＴＩにおいてこの評価結果を受信する（Ｓ３ｊ）。ユーザーは、この評価結果に不満であれば、再度、端末Ｔの入力部ＴＫにより、評価開始のための情報が入力される。この情報が、送受信部ＴＩにより、サーバーＳに向かって送信される（Ｓ３ｆ）。この支援方法では、評価の繰り返しが可能である。ユーザーが納得のいく評価結果を得るまで、この演算部ＳＣは評価を実行する。
【００４６】
ユーザーが評価結果に納得すれば、送受信部ＴＩがこの評価結果の判定を開始するための情報をサーバーＳに向かって送信する（Ｓ３ｋ）。サーバーＳが、その送受信部ＳＩにおいてこの評価結果を受信する（Ｓ３ｌ）。サーバーＳの演算部ＳＣが、記録部ＳＨに格納されている評価結果の評価基準に関するデータに基づいて、この評価結果を判定する（Ｓ３ｍ）。この判定結果が、送受信部ＳＩにより端末Ｔに向かって送信される（Ｓ３ｎ）。端末Ｔの送受信部ＴＩが、この判定結果を受信する（Ｓ３ｏ）。
【００４７】
この支援方法では、ユーザーは、ホストから車の貸し出し（ＳＴＥＰ４）を受けることにより、仮想社会において体感した車を実際に入手し、現実社会においてこの車の性能を体感することができる。さらにこの支援方法では、この体感した車又はこの車に用いた部品の発注（ＳＴＥＰ５）がなされることにより、ユーザーは、仮想社会において体感した車又はこの車に用いた部品を実際に購入することもできる。
【００４８】
前述したように、この支援方法では、改造工程（ＳＴＥＰ２）により、仮想社会に設置されたショップにおいて部品を入手し車を改造するという疑似体験が、ユーザーに提供される。評価工程（ＳＴＥＰ３）により、仮想社会に設けられたサーキットコースにおいて、改造車を走行させるという疑似体験が、ユーザーに提供される。この支援方法によれば、ユーザーは、数ある部品を仮想社会において試行した上で、部品又は車を実際に購入をすることができる。
【００４９】
この支援方法は、インターネットを介してサーバーＳと端末Ｔとが接続されたシステムに基づいて実施される。この支援方法には、多数の者の参加が可能である。この支援方法によれば、潜在する需要者の取り込みが容易である。しかも、この支援方法によれば、仮想社会において、部品を変更したことによる効果を現実社会と同様に体感することができる。疑似体験はユーザーの購買意欲を高めうる。この支援方法は、潜在する多数の需要者に対して購入のための動機付けを十分に与えうる。この支援方法は、需要者層の開拓に寄与しうる。
【００５０】
図１０には、本発明の他の実施形態に係る車又は部品購入のための支援方法において実行される作業のフロー図が示されている。この支援方法は、ユーザー情報を登録する工程（ＳＴＥＰ１）、ベース車を改造する工程（ＳＴＥＰ２）、改造車を評価する工程（ＳＴＥＰ３）及び車又は部品を発注する工程（ＳＴＥＰ５）を含んでいる。
【００５１】
この支援方法は、相互に交信可能に接続されたホスト側のサーバーＳとユーザー側の端末Ｔとを含むシステムに基づいて実施される。このサーバーＳと端末Ｔとは、インターネットを介して接続されている。
【００５２】
サーバーＳは、図１に示されたサーバーＳと同等の構成を有している。このサーバーＳは、送受信部ＳＩ、記録部ＳＨ、表示部ＳＤ、演算部ＳＣ及び入力部ＳＫを備えている。
【００５３】
端末Ｔは、図１に示された端末と同等の構成を有している。この端末Ｔは、送受信部ＴＩ、表示部ＴＤ、演算部ＴＣ、記録部ＴＨ及び入力部ＴＫを備えている。
【００５４】
この支援方法では、登録工程（ＳＴＥＰ１）は、図３に示された作業と同等の作業が実施される。この登録工程（ＳＴＥＰ１）では、この支援方法を利用するユーザーの情報が登録される。これにより、ユーザーはこの支援方法のアクセス権を入手する。この登録工程（ＳＴＥＰ１）では、自らの情報をホストに提供することにより、ユーザーはベース車のデータを入手する。
【００５５】
この支援方法では、改造工程（ＳＴＥＰ２）は、図８に示された作業と同等の作業が実施される。図示されていないが、この改造工程（ＳＴＥＰ２）では、端末Ｔの入力部ＴＫにより、部品特定情報が入力される。送受信部ＴＩが、サーバーＳに向かってこの部品特定情報を送信する。サーバーＳが、その送受信部ＳＩにおいてこの部品特定情報を受信する。このサーバーＳの演算部ＳＣが、記録部ＳＨに格納されているデータに基づいて、端末Ｔから送信された情報により、純正部品に換えて使用可能な部品を特定する。送受信部ＳＩが、この特定した部品情報を端末Ｔに向かって送信する。端末Ｔが、送受信部ＴＩにおいてこの部品情報を受信する。ユーザーは、端末Ｔの表示部ＴＤに表示された部品情報を見て、部品情報の受け入れについて検討する。ユーザーが部品情報を受け入れると、この部品に関するデータがサーバーＳの記録部ＳＨに格納される。ユーザーが別の部品を検討したいと判断した場合は、再度、端末Ｔの入力部ＴＫにより、交換を希望する部品を特定するための情報が入力される。この情報が、送受信部ＴＩにより、サーバーＳに向かって送信される。
【００５６】
この改造工程（ＳＴＥＰ２）では、ユーザーが部品情報を受け入れると、送受信部ＴＩが改造開始情報をサーバーＳに向かって送信する。サーバーＳが、その送受信部ＳＩにおいてこの改造開始情報を受信する。これにより、サーバーＳの演算部ＳＣが、加工手段を用いて、ベース車の純正部品を、前述の特定された部品に組み換える。この加工手段としては、三次元ＣＡＤシステムが例示される。この組み換えにより、ベース車から改造車が作製される。この支援方法では、演算部ＳＣによりベース車が改造される。さらにこの演算部ＳＣが、この改造の適否を判定する。この判定においては、生産の可否、法規制の適用の有無等が検討され、改造の適否が判断される。この判定結果が、送受信部ＳＩにより、端末Ｔに向かって送信される。端末Ｔの送受信部ＴＩが、この判定結果を受信する。改造不可の判定結果が出た場合、ユーザーは再度、端末Ｔの入力部ＴＫにより交換を希望する部品を特定するための情報を入力する。送受信部ＴＩが、サーバーＳに向かってこの部品特定情報を送信する。改造可の判定結果が出た場合、この改造車の情報が記録部ＴＨに格納される。
【００５７】
この改造工程（ＳＴＥＰ２）は、仮想社会に設置されたショップにおいて部品を入手し車を改造するという疑似体験をユーザーに提供しうる。この支援方法によれば、ユーザーは現実社会において実行される車の改造を仮想社会において体感することができる。
【００５８】
この支援方法では、評価工程（ＳＴＥＰ３）は、図９に示された作業と同等の作業が実施される。図示されていないが、この評価工程（ＳＴＥＰ３）では、ユーザーはフィールド特定情報を入力部ＴＫを用いて入力する。送受信部ＴＩが、サーバーＳに向かってフィールド特定情報を送信する。サーバーＳが、その送受信部ＳＩにおいてこのフィールド特定情報を受信する。これにより、サーバーＳがフィールド特定情報を得る。演算部ＳＣが、記録部ＳＨに格納されているデータから、この情報に合致するフィールドを特定する。この支援方法では、演算部ＳＣが端末Ｔから送信された情報により評価のために使用可能なフィールドの特定を行いうる。送受信部ＳＩが、この特定したフィールドの情報を端末Ｔに向かって送信する。端末Ｔが、送受信部ＴＩにおいてこのフィールド情報を受信する。ユーザーは、端末Ｔの表示部ＴＤに表示されたフィールド情報を見て、フィールド情報の受け入れについて検討する。ユーザーが別のフィールドを検討したいと判断した場合は、再度、端末Ｔの入力部ＴＫにより、評価を希望するフィールドを特定するための情報が入力される。この情報が、送受信部ＴＩにより、サーバーＳに向かって送信される。
【００５９】
この評価工程（ＳＴＥＰ３）では、ユーザーは、フィールド情報を受け入れると、評価を開始するための情報を入力部ＴＫを用いて入力する。送受信部ＴＩが、サーバーＳに向かって評価開始情報を送信する。サーバーＳが、送受信部ＳＩにおいてこの評価開始情報を受信する。演算部ＳＣが、この特定されたフィールドにおいて改造車を評価する。この支援方法では、サーバーＳにおいて改造車の評価が実施される。この評価においては、演算部ＳＣが評価手段を用いて車の走行を再現する。この評価手段としては、車の走行を再現するためのプログラムが例示される。この再現に際しては、記録部ＳＨに格納されている部品のデータが用いられる。交換された部品がタイヤである場合には、このデータとしては、このタイヤの縦バネ、横バネ、コーナリングパワー、コーナリングフォース、転がり抵抗及び質量が挙げられる。この評価工程（ＳＴＥＰ３）では、これらデータに基づいて、この車の走行が再現される。
【００６０】
この評価工程（ＳＴＥＰ３）は、仮想社会に設けられたサーキットコースにおいて、改造車を走行させるという疑似体験をユーザーに提供しうる。これにより、ユーザーは、仮想社会において、改造に用いた部品の効果を確認することができる。この支援方法によれば、ユーザーは現実社会において実行される車の評価を仮想社会において体感することができる。
【００６１】
この評価工程（ＳＴＥＰ３）では、送受信部ＳＩがこの評価結果を端末Ｔに向かって送信する。端末Ｔが、その送受信部ＴＩにおいてこの評価結果を受信する。ユーザーは、この評価結果に不満であれば、再度、端末Ｔの入力部ＴＫにより、評価開始のための情報が入力される。この情報が、送受信部ＴＩにより、サーバーＳに向かって送信される。この支援方法では、評価の繰り返しが可能である。ユーザーが納得のいく評価結果を得るまで、この演算部ＳＣは評価を実行する。
【００６２】
ユーザーが評価結果に納得すれば、送受信部ＴＩがこの評価結果の判定を開始するための情報をサーバーＳに向かって送信する。サーバーＳが、その送受信部ＳＩにおいてこの評価結果を受信する。サーバーＳの演算部ＳＣが、記録部ＳＨに格納されている評価結果の評価基準に関するデータに基づいて、この評価結果を判定する。この判定結果が、送受信部ＳＩにより端末Ｔに向かって送信される。端末Ｔの送受信部ＴＩが、この判定結果を受信する。この支援方法が、この判定結果に応じてユーザーにポイントを付与するよう構成されていてもよい。この場合、判定結果とともに、このポイント付与通知が端末Ｔに向かって送信される。このポイントは、部品の購入や車の購入に用いられる。
【００６３】
この支援方法では、判定結果に不満を有するユーザーは、端末Ｔの入力部ＴＫにより別の部品特定情報を入力することにより、改造工程（ＳＴＥＰ２）を再開することもできる。この支援方法では、ユーザーが納得のいく評価結果を得るまで、ベース車の改造が繰り返される。なお、この支援方法が、前述の評価結果に不満を有するユーザーが端末Ｔの入力部ＴＫにより別の部品特定情報を入力することにより、改造工程（ＳＴＥＰ２）を再開できるように構成されてもよい。
【００６４】
この支援方法では、発注工程（ＳＴＥＰ４）は図７に示された作業と同等の作業が実施される。この支援方法によれば、ユーザーは車の貸借工程を経ることなく、車又は部品の発注（ＳＴＥＰ４）がなされうる。
【００６５】
図示されていないが、発注工程（ＳＴＥＰ４）では、ユーザーは車又は部品を購入するための情報を入力部ＴＫを用いて入力する。送受信部ＴＩが、サーバーＳに向かって購入情報を送信する。サーバーＳが、その送受信部ＳＩにおいてこの購入情報を受信する。演算部ＳＣが、購入情報に基づいて車又は部品の価格を算定する。この算定に際しては、ユーザーの有するポイントも考慮される。送受信部ＳＩが、この算定された価格情報を端末Ｔに向かって送信する。端末Ｔが、送受信部ＴＩにおいてこの価格情報を受信する。ユーザーは、この端末Ｔの表示部ＴＤに表示された価格情報を見て、この価格情報の受け入れについて検討する。ユーザーがホストに対して再考を要請したい場合は、再度、端末Ｔの入力部ＴＫにより、購入情報が入力される。この情報が、送受信部ＴＩにより、サーバーＳに向かって送信される。
【００６６】
ユーザーが価格情報を受け入れた場合、送受信部ＴＩが決済をするための情報をサーバーＳに向かって送信する。サーバーＳが、その送受信部ＳＩにおいてこの決済情報を受信する。サーバーＳの演算部ＳＣが、車又は部品の発注を手配する。手配が完了すれば、送受信部ＳＩが発注情報を端末Ｔに向かって送信する。端末Ｔの送受信部ＴＩが発注情報を受信する。この支援方法によれば、ユーザーは、仮想社会において体感した車又はこの車に使用された部品を実際に購入することができる。
【００６７】
この支援方法では、改造工程（ＳＴＥＰ２）及び評価工程（ＳＴＥＰ３）がユーザー側の端末Ｔで実施されてもよい。この場合、登録工程（ＳＴＥＰ１）においてこの支援方法へのアクセス権を入手したユーザーに、改造工程（ＳＴＥＰ２）及び評価工程（ＳＴＥＰ３）を含むシステムがサーバーＳから提供される。
【００６８】
前述したように、この支援方法では、改造工程（ＳＴＥＰ２）により、仮想社会に設置されたショップにおいて部品を入手し車を改造するという疑似体験が、ユーザーに提供される。評価工程（ＳＴＥＰ３）により、仮想社会に設けられたサーキットコースにおいて、改造車を走行させるという疑似体験が、ユーザーに提供される。この支援方法によれば、ユーザーは、数ある部品を仮想社会において試行した上で、部品又は車を実際に購入をすることができる。
【００６９】
この支援方法は、インターネットを介してサーバーＳと端末Ｔとが接続されたシステムに基づいて実施される。この支援方法には、多数の者の参加が可能である。この支援方法によれば、潜在する需要者の取り込みが容易である。しかも、この支援方法によれば、仮想社会において、部品を変更したことによる効果を現実社会と同様に体感することができる。疑似体験はユーザーの購買意欲を高めうる。この支援方法は、潜在する多数の需要者に対して購入のための動機付けを十分に与えうる。この支援方法は、需要者層の開拓に寄与しうる。
【産業上の利用可能性】
【００７０】
以上説明された支援方法は、種々の車両の購入にも適用されうる。
【符号の説明】
【００７１】
２・・・システム
４・・・インターネット
【図１】
0005676353.tif 000002
【図２】
0005676353.tif 000003
【図３】
0005676353.tif 000004
【図４】
0005676353.tif 000005
【図５】
0005676353.tif 000006
【図６】
0005676353.tif 000007
【図７】
0005676353.tif 000008
【図８】
0005676353.tif 000009
【図９】
0005676353.tif 000010
【図１０】
0005676353.tif 000011